(57)【要約】【要  約】【課  題】    滑らずに物を上手に掴むことができるとともに、洗う際に、その汚れが落ちやすい箸を提供する。【解決手段】  箸（１ａ，１ｂ）は、箸本体（２）の先端部に膨出部（３）が形成されている箸であって、前記膨出部は、その先端がカットされてカット面（３ａ）が形成され、このカット面の周縁から後ろ側に行くほど大径となる略円錐台状の前側テーパ面（３ｂ）が形成され、この前側テーパ面の後縁から後ろ側に行くほど小径となる膨出部後面（３ｃ）が形成されており、この膨出部後面は、その後端が箸本体の周面（２ａ）に滑らかに連続している。【選択図】  図３
2005348768.tif 000002
【特許請求の範囲】
【請求項１】
箸本体の先端部に膨出部が形成されている箸であって、
前記膨出部は、その先端がカットされてカット面が形成され、
このカット面の周縁から後ろ側に行くほど大径となる略円錐台状の前側テーパ面が形成され、
この前側テーパ面の後縁から後ろ側に行くほど小径となる膨出部後面が形成されており、
この膨出部後面は、その後端が箸本体の周面に滑らかに連続していることを特徴とする箸。
【請求項２】
箸本体が先細に形成されていることを特徴とする請求項１記載の箸。
【請求項３】
前記膨出部の前側テーパ面と箸の軸線とのなす角度が、膨出部後面と箸の軸線とのなす角度よりも小さく、かつ、箸本体の先細の周面と箸の軸線とのなす角度よりも大きいことを特徴とする請求項２記載の箸。
【請求項４】
前記膨出部における軸線に垂直な断面が略円形であることを特徴とする請求項１，２または３記載の箸。
【発明の詳細な説明】
【技術分野】
【０００１】
本発明は、食事などの際に使用する箸に関する。
【背景技術】
【０００２】
箸（特に塗り箸）で物（たとえば、うどんや煮豆など）を掴もうとすると、物が箸から滑り、なかなか上手に掴むことができない。
【０００３】
そこで、従来、箸の先端部に多数の溝を形成したり、箸の先端部の表面を粗面にしたりして、物が箸から滑り落ちないようにしているものがある。しかしながら、この様に、箸の先端部に溝を形成したり、箸の先端部の表面を粗面にしたりすると、食べものなどの汚れが箸の先端部の溝や粗面にこびりつき、箸を洗う際に、その汚れが落ち難くなる。
【特許文献１】特に、無し。
【発明の開示】
【発明が解決しようとする課題】
【０００４】
解決しようとする問題点は、滑らずに物を上手に掴むことができるように、箸の先端部に溝を形成したり、箸の先端部の表面を粗面にしたりすると、食べものなどの汚れが箸の先端部の溝や粗面にこびりつき、箸を洗う際に、その汚れが落ち難くなる点である。
【課題を解決するための手段】
【０００５】
本発明の箸（１ａ，１ｂ）は、箸本体（２）の先端部に膨出部（３）が形成されている箸であって、前記膨出部は、その先端がカットされてカット面（３ａ）が形成され、このカット面の周縁から後ろ側に行くほど大径となる略円錐台状の前側テーパ面（３ｂ）が形成され、この前側テーパ面の後縁から後ろ側に行くほど小径となる膨出部後面（３ｃ）が形成されており、この膨出部後面は、その後端が箸本体の周面（２ａ）に滑らかに連続していることを特徴とする。
【０００６】
また、箸本体が先細に形成されている場合がある。
そして、前記膨出部の前側テーパ面と箸の軸線（Ｌ）とのなす角度（θ１）が、膨出部後面と箸の軸線とのなす角度（θ２）よりも小さく、かつ、箸本体の先細の周面と箸の軸線とのなす角度（θ３）よりも大きい場合がある。
さらに、前記膨出部における軸線に垂直な断面が略円形である場合がある。
【発明の効果】
【０００７】
本発明によれば、箸本体の先端部に膨出部が形成され、この膨出部の先端のカット面の周縁から後ろ側に行くほど大径となる略円錐台状の前側テーパ面が形成され、この前側テーパ面の後縁から後ろ側に行くほど小径となる膨出部後面が形成されているので、箸で物を挟む際に、前側テーパ面と膨出部後面との間の角部が物に食い込んだ状態となり、物を確実に挟持することができる。しかも、膨出部後面は、その後端が箸本体の周面に滑らかに連続して形成されており、箸の表面は滑らかである（すなわち、箸の先端部に溝や粗面が形成されていない）ので、汚れが箸にこびり付くことを防止することができる。その結果、箸から汚れを簡単に落とすことができる。
【０００８】
また、膨出部の前側テーパ面と箸の軸線とのなす角度が、膨出部後面と箸の軸線とのなす角度よりも小さい場合には、膨出部後面と箸の軸線とのなす角度が大きくなり、箸で物を掴んで持ち上げる際に、物が膨出部後面に引っ掛かりやすくなり、物が箸から落ちることを極力防止することができる。
【発明を実施するための最良の形態】
【０００９】
滑らずに物を上手に掴むことができるとともに、洗う際に、その汚れが落ちやすい箸を提供するという目的を、箸本体の先端部に膨出部を形成し、この膨出部の先端のカット面の周縁から後ろ側に行くほど大径となる略円錐台状の前側テーパ面を形成し、この前側テーパ面の後縁から後ろ側に行くほど小径となる膨出部後面を形成しており、この膨出部後面の後端を箸本体の周面に滑らかに連続させることにより実現した。
【実施例】
【００１０】
次に、本発明における箸の一実施例について、図１ないし図３を用いて説明する。図１は本発明における実施例の箸の正面図である。図２は図１の箸の要部拡大図である。図３は箸で物を掴んだ状態の説明図である。なお、この明細書において、箸の物を掴む側を前側としている。
【００１１】
この実施例の箸１ａ，１ｂは、通常の箸と同様に、二本一組で構成されているとともに、各箸１ａ，１ｂの形状は同じ形状である。この各箸１ａ，１ｂは、手で掴む部分側（図１の範囲Ａ）の断面が略円形または矩形であり、また、先端側（図１の範囲Ｂ）の断面が略円形である。
【００１２】
そして、各箸１ａ，１ｂの箸本体２は先細に形成されている。この箸本体２の先端部は膨らんでおり、膨出部３が形成されている。膨出部３は、その先端がカットされて略円形のカット面３ａが形成されている。このカット面３ａの周縁から後ろ側に行くほど大径となる略円錐台状の前側テーパ面３ｂが形成されている。この前側テーパ面３ｂの後縁から後ろ側に行くほど小径となる膨出部後面３ｃが形成されている。この膨出部後面３ｃは、その後端が箸本体２の周面２ａに滑らかに連続して形成されている。
【００１３】
膨出部３の前側テーパ面３ｂと軸線Ｌとのなす角度θ１（図２参照）は、膨出部３の膨出部後面３ｃと軸線Ｌとのなす角度θ２よりも小さく、かつ、箸本体２の先細の周面２ａと軸線Ｌとのなす角度θ３よりも大きく形成されている。
【００１４】
また、膨出部３のカット面３ａと前側テーパ面３ｂとの角部、膨出部３の前側テーパ面３ｂと膨出部後面３ｃとの角部および、膨出部後面３ｃと箸本体２の周面２ａとの角部はそれぞれ丸みＲ１，Ｒ２，Ｒ３が付けられている。丸みＲ２および丸みＲ３の曲率半径は略等しく、丸みＲ１の曲率半径は丸みＲ２，Ｒ３よりも小さい。
【００１５】
この様に構成されている箸１ａ，１ｂで、煮豆やうどんなどの物１１を挟むと、図３に図示するように、膨出部３の前側テーパ面３ｂと膨出部後面３ｃとの間の角部が、物１１に食い込む状態となり、安定して物１１を挟持することができる。しかも、膨出部後面３ｃと軸線Ｌとのなす角度θ２が、前側テーパ面３ｂと軸線Ｌとのなす角度θ１よりも大きいため、箸１ａ，１ｂで物１１を挟持した状態で持ち上げた際に、物１１が膨出部後面３ｃに引っ掛かり下方に滑り落ちることが減少する。
【００１６】
また、箸１ａ，１ｂの先端部に溝や粗面がないため、汚れがこびり付き難く、食後などに箸１ａ，１ｂを洗浄する際に、汚れを簡単に落とすことができる。
【００１７】
以上、本発明の実施の形態を詳述したが、本発明は、前記実施の形態に限定されるものではなく、特許請求の範囲に記載された本発明の要旨の範囲内で、種々の変更を行うことが可能である。たとえば、箸１ａ，１ｂの材質などは適宜選択可能である。
【図面の簡単な説明】
【００１８】
【図１】図１は本発明における実施例の箸の正面図である。
【図２】図２は図１の箸の要部拡大図である。
【図３】図３は箸で物を掴んだ状態の説明図である。
【符号の説明】
【００１９】
Ｌ  箸の軸線
θ１  膨出部の前側テーパ面と箸の軸線とのなす角度
θ２  膨出部後面と箸の軸線とのなす角度
θ３  箸本体の先細の周面と箸の軸線とのなす角度
１ａ，１ｂ  箸
２  箸本体
２ａ  箸本体の周面
３  膨出部
３ａ  カット面
３ｂ  前側テーパ面
３ｃ  膨出部後面
【図１】
2005348768.tif 000003
【図２】
2005348768.tif 000004
【図３】
2005348768.tif 000005